(57)【要約】【課題】使用者は洗面の際に化粧具、その他の小物を気軽に置くことができ、しかも小物置きとして使用しない時は、洗面ボウルに引っ掛けて簡単に収納することができ、必要に応じて水はね防止のために利用することができる、洗面ボウル上に簡単且つ安定して取り付けることができる小物置きプレートを実現する。【解決手段】小物置きプレート１を、洗面ボウル２の周縁部４の上面に載置し、小物置きプレート１の下面８に設けた支持片９が洗面ボウル２の前縁部１０の内面に当接して係合することで、小物置きプレート１はズレ止めされて安定に保持され、小物置きプレート１を小物置き用として使用しない場合には、支持片９を洗面ボウル２の周縁部４の上面に引っ掛けて保持可能とする。【選択図】図２
2005073856.tif 000002
【特許請求の範囲】
【請求項１】
洗面ボウルの上面に載置する小物置きプレートにおいて、小物置きとして使用しない不使用時には、洗面ボウルの周縁部に引っ掛けて小物置きプレートを支持する支持部を備えたことを特徴とする小物置きプレート。
【請求項２】
請求項１記載の小物置きプレートにおいて、洗面ボウルの上面に載置した状態では、前記支持部が洗面ボウルの内面あるいは外面に当接することを特徴とする小物置きプレート。
【請求項３】
請求項１又は２に記載の小物置きプレートであって、洗面ボウルの側縁部の上面に垂直に起立することができるように形成されていることを特徴とする小物置きプレート。
【発明の詳細な説明】
【技術分野】
【０００１】
本発明は、洗面化粧台の洗面ボウルの上面に載置して小物を置くことができるようにした小物置きプレートに関する。
【背景技術】
【０００２】
洗面ボウルの上面は、デザイン上の観点から、又、水をなるべく上面に残さないようにするという理由で、通常、平坦部は形成しないので、小物を載せにくかった。又、ボウルの容量を増やすためにも、小物を載せる面積を犠牲にしていた。
【０００３】
従来、洗面ボウルにおいて、プレートを必要に応じて取り付ける構成としては、次のようなものがある。洗面ボウルの側方を遮蔽するパネルを、ミラーキャビネットの棚部に着脱可能に取り付けて洗面器の上に起立した洗面化粧台が公知である（例えば、特許文献１参照。）。この従来例では、パネルを棚部に差込可能又は係止部材を介して着脱可能に取り付けるものである。
【０００４】
又、洗面化粧台の側面に、スライド片を上下にスライド自在に取付け、このスライド片に蝶着部により仮置きプレートを洗面ボウル上に載置される状態に回動自在に取り付けた構成が公知である（例えば、特許文献２参照。）
【０００５】
又、洗面ボールに水はね防止スクリーン装置を設ける構成が公知である（例えば、特許文献３参照。）。この水はね防止スクリーン装置では、板体を固定金具で洗面ボールに起立するように装着して、水はね防止スクリーンとして利用するとともに、固定金具にヒンジを介して取り付けることで小物物品を置くトレーとしても機能させるものである。
【０００６】
さらに、洗面ボールの上に、衣類などを簡単に納めることのできる脱衣用のカゴを設けた洗面化粧台が公知である（例えば、特許文献４参照。）。この洗面化粧台は、洗面ボールの上に設置することのできるプレートを設けるとともに、このプレートにカゴを折りたたみ自在に設けた構成であり、このプレートの裏面に、洗面ボール面に対して位置決めすることができる突部を設けた構成が示されている。
【特許文献１】実開昭６３−１６７９７６号公報
【特許文献２】特開平９−２８５９３号公報
【特許文献３】特開平１１−２２５８９３号公報
【特許文献４】特開２００２−５１９２４号公報
【発明の開示】
【発明が解決しようとする課題】
【０００７】
特許文献１に記載のパネルは水はね防止のためには役立つが、洗面ボウルの上に小物を載せることはできないし、又、ミラーキャビネットに棚部がないとパネルを取り付けることはできないという問題がある。
【０００８】
特許文献２は、洗面化粧台の側面にスライド自在に取付けたスライド片に蝶着部により仮置きプレートを回動自在に取り付けなくてはならず、又、特許文献３も、水はね防止用の板体を洗面ボールに取り付けた固定金具にヒンジを介して取り付ける構成であり、特許文献２、３のいずれも、その取付構造は簡単ではなく、既存の洗面ボウルに簡単に適用でき、しかも簡単に収納できるプレートとしては適していない。
【０００９】
さらに、特許文献４は、洗面ボールの上を全面的に使用した脱衣用のカゴを提供するためには適しているが、洗面の際に使用する小物物品を簡単に載せるためのプレートとしては適していない。
【００１０】
本発明は上記従来の問題点を解決することを目的とするものであり、次の点を課題とする。
（１）洗面ボウル上に、気軽に小物を載せることのできる平坦な台を、プレートを簡単に装着することのできる構成により実現する。
（２）プレートを洗面ボウルに着脱可能に掛けて簡単に収納できるようにする。
（３）プレートを台として使用しない時には、水はね防止機能を発揮させるような構成を実現する。
【課題を解決するための手段】
【００１１】
本発明は上記課題を解決するために、洗面ボウルの上面に載置する小物置きプレートにおいて、小物置きとして使用しない不使用時には、洗面ボウルの周縁部に引っ掛けて小物置きプレートを支持する支持部を備えたことを特徴とする小物置きプレートを提供する。
【００１２】
洗面ボウルの上面に載置した状態では、前記支持部が洗面ボウルの内面あるいは外面に当接するような構成としてもよい。
【００１３】
前記小物置きプレートは、洗面ボウルの側縁部の上面に垂直に起立することができるように形成されている構成としてもよい。
【発明の効果】
【００１４】
本発明に係る小物置きプレートによれば、次のような効果が生じる。
（１）プレートを洗面ボウル上に載置し、支持部の一態様である支持片を洗面ボウルの前縁部内面に係合可能とするというきわめて簡単な構成により、使用者が気軽に小物を載せることができ、しかも洗面ボウル上にずれ止めされて安定した平坦な小物載置用の台を提供することができる。
【００１５】
（２）小物置きプレートの先端部に、洗面ボウル前端部の外面に沿うように、支持部の別の態様である垂直状の立ち上がり部を上下方向に一体的に形成すれば、小物置きプレートの上面に載置された小物の落下を防止することができ、洗面ボウル前端部の外面の左右のいずれの側に沿うように載置できる。そして、この立ち上がり部は、小物置きプレートの先端部に一体的に形成されているので、洗浄がしやすく衛生面でのメインテナンスもし易い。
【００１６】
（３）小物置きプレートの支持部（支持片又は立ち上がり部）は、小物置きプレートを小物置きとして使用しない不使用時には、洗面ボウルに引っ掛けて小物置きプレートをきわめて簡単且つ手軽に使用者の邪魔とならないように収納することができる。さらに、小物置きプレートの基端部に壁面に付設した係止用突起と係合する係合部を設ければ、洗面ボウルの側縁部上に起立することができ、水はね防止機能を発揮させることもできる。
【発明を実施するための最良の形態】
【００１７】
本発明に係る小物置きプレートを実施するための最良の形態を実施例に基づいて図面を参照して、以下説明する。
【実施例１】
【００１８】
図１は、本発明に係る小物置きプレートの実施例１を説明する図である。実施例１の小物置きプレート１は、図２（ａ）に示すように洗面ボウル２の周縁部４の上面に載置して、洗面ボウル２を使用する際等に小物を置くためのものである。この小物置きプレート１は、図１（ａ）〜（ｄ）に示すように、平坦な板材３から形成され、全体的にはほぼ長方形で小物を載せても撓まない程度の板厚を有する。
【００１９】
この小物置きプレート１の平面形状を図１（ａ）、（ｃ）に示す。小物置きプレート１の平面形状は、基本的にはほぼ長方形であるが、実施例１では、図２（ａ）に示すように小物置きプレート１を洗面ボウル２に載置した際に、小物置きプレート１の長手方向の端部のうち、使用者に近い手前側に端部（「先端部」という。）５は全体的に丸みを帯びて湾曲状に形成されており、これとは逆側の端部、要するに壁側の端部（これを「基端部」という。）６は、洗面ボウル２の背面側の壁又は洗面キャビネット７に沿ってほぼ直線的に形成されている。
【００２０】
小物置きプレート１は、小物置きとして使用しない不使用時に洗面ボウル２の周縁部４に引っ掛けて小物置きプレート１を支持する支持部を備えている。具体的には、実施例１の小物置きプレート１の支持部は、図１（ａ）〜（ｄ）に示すように、その長手方向の中央より先端部５に近い位置における下面８に、幅方向に並べられて起立し固定された一対の支持片９として形成されている。
【００２１】
この支持片９にはいろいろな形状が考えられるが、支持片９の形状は、洗面ボウル２の前縁部１０の内面に当接して係合することができること、且つ掛け具として洗面ボウル２の周縁部４の上面に引っ掛けることができることを考慮して設計されることが好ましい。
【００２２】
本実施例１では、図１（ｂ）、（ｄ）に示すように、支持片９は、フックの形状をしており、前側湾曲部１３と後側湾曲部１４を有するあたかも魚の背鰭のような形状の板片からなる。
【００２３】
なお、実施例１の小物置きプレート１においても、後述する実施例２で示すような立ち上がり部２２を一体的に設けてもよい。即ち、小物置きプレート１の先端部５に垂直状の立ち上がり部２２を形成してもよい。この立ち上がり部２２は、洗面ボウル２に載置した際に、洗面ボウル２の前縁部１０の左右の外面のそれぞれに沿って当接するように上下方向に起立して形成されている。
【００２４】
（作用）
小物置きプレート１を使用する際には、図２（ａ）に示すように、洗面ボウル２の周縁部４の上面に壁側から手前側（使用者側）に向けて載置する。即ち、小物置きプレート１の基端部６は洗面ボウル２の壁側の後縁部１５の上面に載置され、先端部５は洗面ボウル２の前縁部１０の上面に載置される。そして、支持片９が、図２（ｂ）に示すように、洗面ボウル２の前縁部１０の内面に当接して係合し、小物置きプレート１はズレ止めされて保持される。
【００２５】
このように小物置きプレート１を洗面ボウル２上に載置すれば、洗面の際に化粧具、その他の小物を気軽にこの小物置きプレート１の上に置くことができるから、使用者はきわめて便利である。そして、支持片９は洗面ボウル２の前縁部１０の内面に係合して小物置きプレート１のずれ防止機能を有するので、洗面ボウル２からずれて落下するようなことがなく安定して取り付けることができる。
【００２６】
小物置きプレート１を小物置きとして使用しない不使用時には、図２（ｃ）に示すように、支持片９を洗面ボウル２の上面の左側縁部１１（右側縁部１２でもよい。）に引っ掛けて保持する。これにより、不使用時には、使用者の邪魔とならないように簡単に収納することができる。
【実施例２】
【００２７】
図３は、本発明に係る小物置きプレートの実施例２を説明する図である。この実施例２の小物置きプレート１６は、実施例１と同様に平坦な板材１７から形成され、全体的にはほぼ長方形であり、小物を載せても撓まない程度の板厚を有し、図３（ｄ）に示すように洗面ボウル２の上面に載置して使用することができる。
【００２８】
実施例２の小物置きプレート１６を図３（ａ）〜（ｃ）に示す。この実施例２の小物置きプレート１６では、その上面（表面）１８及び下面（裏面）１９のそれぞれの周縁に沿って、凸条縁２０が形成されている。そして、小物置きプレート１６の先端部２１は、その平面形状を、洗面ボウル２の前縁部１０の右側及び左側の平面形状に沿うように、斜めに形成されている。
【００２９】
小物置きプレート１６は、実施例１と同様に、小物置きとして使用しない不使用時に洗面ボウル２の周縁部４に引っ掛けて小物置きを支持する支持部を備えている。具体的には、実施例２の小物置きプレート１６の支持部は、図３（ａ）〜（ｄ）に示すが、洗面ボウル２の前縁部１０の外面に沿って当接するように、垂直状の立ち上がり部２２として小物置きプレート１６と一体的に形成されている。
【００３０】
この立ち上がり部２２は、小物置きプレート１６を洗面ボウル２に載置した際に、図３（ｄ）、図４（ａ）に示すように、洗面ボウル２の前縁部１０の右側の外面に沿って当接するように上下方向に起立するように形成されている。
【００３１】
図示しないが、小物置きプレート１６を洗面ボウル２の左側に載置して取り付ける場合には、小物置きプレート１６を裏返しにしてその上下面１８、１９（表裏面）を逆にすれば、小物置きプレート１６の立ち上がり部２２が洗面ボウル２の前縁部１０の左側の外面に沿って当接するように載置することができる。
【００３２】
要するに、小物置きプレート１６の先端部２１は、その平面形状が洗面ボウル２の前縁部１０に合わせて斜めに形成され、さらに垂直状の立ち上がり部２２が上下に向けてが形成されているので、小物置きプレート１６の裏、表を選択して載置すれば、洗面ボウル２の前縁部１０の形状に沿うように載置することができる。
【００３３】
この実施例２では、洗面ボウル２から水が外側にはねることを防止する（水はね防止）ことを目的とし、洗面ボウル２の側縁部の上面に垂直に起立させることができる。そのために、小物置きプレート１６を洗面ボウル２の背面側の壁又は洗面キャビネット７には予め係止用突起を取り付け、一方、小物置きプレート１６の基端部２４には、係合部が形成されている。
【００３４】
この係合部の具体例を図３（ａ）、図５（ａ）に示す。この例は、小物置きプレート１６の基端部２４に長手方向へ窪んだ凹部２５が幅方向にわたって形成されている。さらに係合部の別の具体例を図５（ｂ）に示す。この例は小物置きプレート１６の基端部２４に長手方向への切り込み２６が２箇所、幅方向に間隔を置いて形成されている。
【００３５】
なお、小物置きプレート１６の係合部に係合するために洗面ボウル２の背面側の壁又は洗面キャビネット７に予め取り付けた係止用突起は、係合部が図５（ａ）に示すように凹部２５の場合は、この凹部２５に係入する例えば蒲鉾状の係止用突起体２３から成る。又、係合部が図５（ｂ）に示すような２箇所に形成された切り欠き２６の場合は、この切り欠き２６に係入する２つの係止用突起片２７から成る。
【００３６】
（作用）
小物置きプレート１６を使用する際には、図３（ｄ）に示すように、洗面ボウル２の周縁部４の上面に壁側から手前側（使用者側）に向けて載置する。即ち、小物置きプレート１６の基端部２４は洗面ボウル２の壁側の後縁部１５上面に載置され、先端部２１は洗面ボウル２の前縁部１０上面に載置される。
【００３７】
そして、立ち上がり部２２が、図３（ｄ）、図４（ａ）に示すように、洗面ボウル２の前縁部１０の右側の外面に沿って当接した状態となる。小物置きプレート１６を洗面ボウル２の前縁部１０の左側に載置する場合は、小物置きプレート１６を裏返して載置すれば、立ち上がり部２２が前縁部１０の左側の外面に沿って当接するように置くことができる。
【００３８】
小物置きプレート１６を洗面ボウル２上に載置すれば、実施例１と同様に、小物をこの小物置きプレート１６の上に置くことができる。小物置きプレート１６を使用しない場合には、図４（ｂ）に示すように、立ち上がり部２２を洗面ボウル２の前縁部１０の上縁に引っ掛けて保持することができる。これにより、不使用時には、使用者の邪魔とならないように簡単に収納することができる。なお、小物置きプレート１６の立ち上がり部２２は、載置した小物が手前側にずれて落ちないように機能も発揮する。
【００３９】
さらに、小物置きプレート１６を水はね防止用の部材として使用する場合は、その凹部２５又は切り込み２６を係止用突起体２３又は係止用突起片２７（図５（ａ）、（ｂ）参照。）に係合させて、洗面ボウル２の側縁部の上面に垂直に起立させる。これにより、洗面ボウル２から側方にはねる水のはねかえりを防止することができる。
【００４０】
なお、実施例２の図５（ｃ）に示す図では、洗面ボウル２の左背面側の壁又は洗面キャビネット７の面に予め係止用突起を付設することで、小物置きプレート１６を水はね防止用の部材として洗面ボウル２の左側縁部の上面に垂直に起立させる構成を示したが、小物置きプレート１６を水はね防止用の部材として洗面ボウル２の右側縁部の上面に垂直に起立させる場合は、洗面ボウル２の右背面側の壁又は洗面キャビネット７の面に、同様に予め係止用突起を付設しておけばよい。
【００４１】
以上、本発明に係る小物置きプレート１６の発明を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４２】
本発明に係る小物置きプレートは、ボウルの前縁部内面に支持部を係合させて載置することで簡単にずれ止めされた安定した状態でボウルを取り付けることができ、使用者が気軽に小物を載せることができる構成であるから、洗面ボウルの小物置きプレート用だけではなく、キッチン等にも適用可能である。
【図面の簡単な説明】
【００４３】
【図１】本発明に係る小物置きプレートの実施例１を示す図であり、（ａ）は平面図、（ｂ）は正面図、（ｃ）は底面図、（ｄ）は斜視図をそれぞれ示している。
【図２】本発明に係る小物置きプレートのの実施例１の使用状態を示す図であり、（ａ）は洗面ボウルに載置した状態を上方から見た斜視図であり、（ｂ）は（ａ）における矢印の方向から観察した斜視図であり、（ｃ）は洗面ボウルの側縁部に掛けた状態を上方から見た斜視図である。
【図３】本発明に係る小物置きプレートの実施例２を示す図であり、（ａ）は平面図、（ｂ）は側面図、（ｃ）は正面図をそれぞれ示している。（ｄ）は小物置きプレートの使用状態を説明する図である。
【図４】本発明に係る小物置きプレートの実施例２の使用状態を示す図であり、（ａ）は洗面ボウルに載置した状態を示す斜視図であり、（ｂ）は洗面ボウルの側縁部に掛けた状態を示す斜視図である。
【図５】本発明に係る小物置きプレートの実施例２を水はね防止機能を説明するための図であり、（ａ）、（ｂ）は小物置きプレートの係合部を示し、（ｃ）は洗面ボウルの側縁部に起立して取付た状態を示す斜視図である。
【符号の説明】
【００４４】
１、１６  小物置きプレート                               
２  洗面ボウル                                     
３、１７  板材                                           
４  洗面ボウルの周縁部                             
５、２１  小物置きプレートの先端部                       
６、２４  小物置きプレートの基端部                       
７  壁又は洗面キャビネット                         
８  小物置きプレートの下面                         
９  支持片（支持部）                                         
１０  洗面ボウルの前縁部                         
１１  洗面ボウルの左側縁部                     
１２  洗面ボウルの右側縁部                     
１３  支持片の前側湾曲部                         
１４  支持片の後側湾曲部                         
１５  洗面ボウルの後縁部                         
１８  小物置きプレートの上面（表面）             
１９  小物置きプレートの下面（裏面）             
２０  凸条縁                                     
２２  立ち上がり部（支持部）                               
２３  係止用突起体                               
２５  凹部                                       
２６  切り込み                                   
２７  係止用突起片                               
【図１】
2005073856.tif 000003
【図２】
2005073856.tif 000004
【図３】
2005073856.tif 000005
【図４】
2005073856.tif 000006
【図５】
2005073856.tif 000007